(57)【特許請求の範囲】
【請求項１】
什器本体の下端に複数のキャスターを備えて移動可能であるとともに、使用中に不意に移動しないように移動規制を行う可動什器のストッパー装置であって、什器本体の下端部に水平な支軸にて中間部を回動可能に支持された傾動部材を有し、該傾動部材の一端部に下方へ突出した接地部材を設けるとともに、該接地部材が床面から離れる方向に傾動部材を弾性付勢し、前記傾動部材の上位に中央部を水平な回動軸にて傾動可能に支持した操作部材を設け、該操作部材には係止ピンを設ける一方、前記傾動部材の上縁部には前記接地部材が床面に接地した状態で前記係止ピンを受け入れてその状態を維持する係合段部を設けてなることを特徴とする可動什器のストッパー装置。
【請求項２】
前記傾動部材に対して前記接地部材を上下動可能となすとともに、該接地部材を下方突出方向へ弾性付勢してなる請求項１記載の可動什器のストッパー装置。
【請求項３】
前記什器本体に床面に沿った接地脚を備え、該接地脚の両端部に設けたキャスター間に前記傾動部材と操作部材を内蔵するとともに、該傾動部材にその回動軸を中心とした両端部に円弧状の押ボタン部を形成し、前記接地部材が床面に接触した状態で一方の押ボタン部が接地脚の上面から突出し、前記接地部材が床面から離れた状態で他方の押ボタン部が接地脚の上面から突出するように設定し、両押ボタン部に異なる配色又は表示を施してなる請求項１又は２記載の可動什器のストッパー装置。
【発明の詳細な説明】
【０００１】
【発明の属する技術分野】
本発明は、可動什器のストッパー装置に係わり、更に詳しくはキャスターによって移動可能となした什器を使用中に不意に移動しないように規制する可動什器のストッパー装置に関する。
【０００２】
【従来の技術】
従来、什器本体の下端に複数のキャスターを備えて移動であるとともに、使用中に不意に移動しないように移動規制を行う可動什器のストッパー装置は、什器本体の下端部で何れかのキャスターの近傍に、上下スライド可能に接地杆を垂設するとともに、該接地杆を上方へ弾性付勢し、該接地杆を弾性付勢力に抗して下方へ押圧し、該接地杆が床面に接してキャスターを浮かせた状態を維持する保持機構を備えた操作部材を有するものは各種提供されている。
【０００３】
例えば、操作部材と保持機構の例としては、前記接地杆の上端と傾動可能な操作部材との間に回転カムを備え、操作部材を足で踏んで押し下げてカムを回転させながら接地杆を可動させ、カムの下死点で該接地杆の上動を規制し、ストッパーを解除する場合には前記操作部材を逆向きに傾動させてカムを回転させ、接地杆をその弾性付勢力で上動させる構造が提供されている。
【０００４】
他の構造の例としては、前記接地杆の途中に係止部材の係合孔を遊挿し、傾動可能な操作部材を足で踏んで押し下げることによって、前記接地杆を弾性付勢力に抗して下方へ押圧し、該係止部材の傾斜によって係合孔の対向縁部が接地杆に圧接し、係止部材を什器本体の適所にその状態を保持することによって接地杆が床面に接した状態を維持し、ストッパーを解除する場合には前記操作部材を逆向きに傾動させて前記係合部材の傾斜角度を小さくして接地杆が係合孔に対して自由に移動可能となし、接地杆をその弾性付勢力で上動させる構造が提供されている。
【０００５】
しかし、何れの構造も構造が複雑であるとともに、精度の高い加工、成形が必要であり、コスト高となるのである。また、接地杆を床面に圧接した後、キャスターを浮き上がらせる原理は、前記操作部材の回動軸と足踏み部との間に前記接地杆を下方へ押圧する接触点があり、該押圧杆が床面に当接した後はこの接触点が支点となって、操作部材の足踏み部に加わる下方への力が、他方の回動軸で上方への力に変換され、テコの原理で什器を持ち上げるのである。従って、重量の重い什器を持ち上げるには、前記操作部材の足踏み部と回動軸までの距離が十分に長く、しかも接地杆との接触部が回動軸に十分に近くなければならないが、何れにしても操作部材に大きな曲げ応力が作用することになって強度の高い材料及び構造にしなければならない。
【０００６】
【発明が解決しようとする課題】
そこで、本発明が前述の状況に鑑み、解決しようとするところは、操作部材に大きな力が加わらないような構造となすとともに、構造を簡単にしてコスト低減化を図り、しかも接地部材を床面に圧接した状態を確実に維持することが可能な可動什器のストッパー装置を提供する点にある。
【０００７】
【課題を解決するための手段】
本発明は、前述の課題解決のために、什器本体の下端に複数のキャスターを備えて移動可能であるとともに、使用中に不意に移動しないように移動規制を行う可動什器のストッパー装置であって、什器本体の下端部に水平な支軸にて中間部を回動可能に支持された傾動部材を有し、該傾動部材の一端部に下方へ突出した接地部材を設けるとともに、該接地部材が上方へ上がる方向に傾動部材を弾性付勢し、前記傾動部材の上位に中央部を水平な回動軸にて傾動可能に支持した操作部材を設け、該操作部材には係止ピンを設ける一方、前記傾動部材の上縁部には前記接地部材が床面に接地した状態で前記係止ピンを受け入れてその状態を維持する係合段部を設けてなる可動什器のストッパー装置を構成した。
【０００８】
更に具体的には、前記傾動部材に対して前記接地部材を上下動可能となすとともに、該接地部材を下方突出方向へ弾性付勢してなるのである。また、前記什器本体に床面に沿った接地脚を備え、該接地脚の両端部に設けたキャスター間に前記傾動部材と操作部材を内蔵するとともに、該傾動部材にその回動軸を中心とした両端部に円弧状の押ボタン部を形成し、前記接地部材が床面に接触した状態で一方の押ボタン部が接地脚の上面から突出し、前記接地部材が床面から離れた状態で他方の押ボタン部が接地脚の上面から突出するように設定し、両押ボタン部に異なる配色又は表示を施してなるのである。
【０００９】
【発明の実施の形態】
次に本発明の実施形態を添付図面に基づき更に詳細に説明する。図１は、本発明の可動什器のストッパー装置を適用した折畳み式テーブルを示し、図２〜図４は本発明の詳細を示している。図中符号１は天板、２は接地脚、３は支脚杆、４はキャスター、５はストッパー装置をそれぞれ示している。
【００１０】
本実施形態に係る折畳み式テーブルは、天板１の両側部の前後中間部を、両側前後方向に配した一対の接地脚２，２の後部に立設した支脚杆３，３で支持し、そして移動可能となすべく前記接地脚２の両端部下面にキャスター４，４を設けるとともに、両キャスター４，４の中間位置に、該折畳み式テーブルを使用中に不意に移動しないように移動規制するストッパー装置５を設けたものである。
【００１１】
更に詳しくは、前記天板１を前記支脚杆３，３に上下回動可能に枢着し、前記接地脚２と支脚杆３との間に垂直な回転軸芯を有する回転連結手段６を介在させるとともに、前記天板１と該回転連結手段６とを天板１の上下回動運動に伴って接地脚２，２の前部が内向き及び外向きに回転変位するように連動手段７にて連動させ、更に前記天板１を水平状態と立起状態とに維持するためのロック手段８を天板１と支脚杆３との連結部分に設けたものである。
【００１２】
本発明に係るストッパー装置５は、前記折畳み式テーブルの床面に沿った接地脚２に設けている。該接地脚２は、下向き開放した断面略コ字形の金属製長尺部材からなるビーム部材９を有し、該ビーム部材９の前後端部内に前記キャスター４，４を内蔵するとともに、前後中間部に上向き開放した断面略コ字形の金属製部材からなる補強部材１０を内部に固着している。そして、前記補強部材１０の底面部にストッパー装置５の装着用開口１１を形成し、該装着用開口１１内にストッパー装置５を組み込むのである。
【００１３】
前記ストッパー装置５は、前記補強部材１０に取付ける取付部材１２と、該取付部材１２に装着する傾動部材１３と、該傾動部材１３に取付けた接地部材１４と、前記取付部材１２に装着する操作部材１５とから構成されている。つまり、本発明のストッパー装置５は、前記取付部材１２に傾動部材１３の中間部を水平な支軸１６にて回動可能に支持し、該傾動部材１３の一端部に下方へ突出した接地部材１４を設けるとともに、該接地部材１４が床面から離れる方向に傾動部材１３をキックばね１７等の適宜な手段で弾性付勢し、前記傾動部材１３の上位に操作部材１５の中央部を水平な回動軸１８にて傾動可能に支持して設け、該操作部材１５には係止ピン１９を設ける一方、前記傾動部材１３の上縁部には前記接地部材１４が床面Ｆに接地した状態で前記係止ピン１９を受け入れてその状態を維持する係合段部２０を設けて構成している。また、前記接地部材１４は、前記傾動部材１３に対して上下動可能となすとともに、下方突出方向へ圧縮コイルばね２１等の適宜な手段で弾性付勢している。
【００１４】
更に詳しくは、前記取付部材１２は、両側に一定間隔を隔てて配した垂直な支持板２２，２２の両端上部間を連結板２３，２３で一体連結するとともに、両支持板２２，２２の下端縁に外向きにそれぞれ取付板２４，２４を一体形成したものであり、本実施形態ではスチール板をプレス、折曲加工した一体物である。そして、前記取付板２４の両支持板２２，２２を前記補強部材１０の装着用開口１１内に下方より挿入し、両取付板２４，２４を補強部材１０の下面に当接し、各取付板２４の両端部に形成した取付孔２５，２５と補強部材１０の対応位置に形成したバーリング孔２６，…を利用してタッピングネジ２７，…で固定している。そして、前記傾動部材１３は、中間部に形成した軸孔２８に前記支軸１６を挿通し、該支軸１６を前記取付部材１２の両支持板２２，２２に形成した軸孔２９，２９に抜止め装着して上下傾動可能に装着している。また、前記操作部材１５は、中央部に形成した軸孔３０に前記回動軸１８を挿通し、該回動軸１８を前記支持板２２，２２で前記軸孔２９よりも上位に形成した軸孔３１，３１に抜止め装着して上下傾動可能に装着している。
【００１５】
また、前記傾動部材１３は、前記支持板２２，２２間に位置する支軸１６にキックばね１７のコイル部１７Ａを巻回し、一方の脚部１７Ｂを前記接地部材１４を取付ける側とは反対側の端部に係止するとともに、他方の脚部１７Ｃを一方の前記連結板２３の下面に当接し、前記接地部材１４が床面Ｆから離れる方向に弾性付勢している。また、前記接地部材１４は、上下に長い杆体であり、前記傾動部材１３の一端部に形成した円筒部３２に上下動可能に取付けるとともに、傾動部材１３に対して下方へ突出する方向へ圧縮コイルばね２１にて弾性付勢している。具体的には、前記円筒部３２の上端部に直径が小さい縮径縁又は当止縁３３を形成し、該円筒部３２内に装着し上端を当止縁３３で当止されたブッシュ３４に前記接地部材１４の小径部１４Ａをスライド可能に挿入し、該ブッシュ３４と接地部材１４の下端部の大径部１４Ｂとの間に前記圧縮コイルばね２１を介装し、更に前記小径部１４Ａの上端には平ワッシャとＥリングとからなる抜止め具３５を装着し、更に接地部材１４の大径部１４Ｂには床面Ｆに直接接触するゴム製のキャップ３６を装着して構成している。ここで、前記円筒部３２は、本実施形態では二枚のスチール板を接合して構成した前記傾動部材１３の一部を側方へ湾曲させて形成しているが、円筒体を傾動部材１３に溶接して形成しても良い。
【００１６】
前記操作部材１５は、合成樹脂製で成形したものであり、前記回動軸１８を中心とした両端部に円弧状の押ボタン部３７，３８を形成し、前記接地部材１４が床面Ｆに接触した状態で一方の押ボタン部３８が接地脚２を構成するビーム部材９の上面開口３９から突出し、前記接地部材１４が床面から離れた状態で他方の押ボタン部３７が接地脚２の上面から突出するように設定し、両押ボタン部３７，３８に異なる配色又は表示を施し、現在の状態を視覚によって確認できるようにしている。つまり、本実施形態では、前記操作部材１５の両押ボタン部３７，３８は、側面視において前記回動軸１８を中心とした扇形形状であり、その円弧面に異なる色の表示シール４０，４１を貼着している。しかし、表示シール４０，４１の代わりに又は表示シール４０，４１と併用して文字を各押ボタン部３７，３８に表示しても良い。また、前記操作部材１５は、内部が中空で下方開放した形状であり、前記傾動部材１３の上縁部の一部で、少なくとも前記係合段部２０を設けた部分を内部に受け入れることが可能であり、当該操作部材１５の内部に前記係止ピン１９を横設している。更に、前記傾動部材１３の係止ピン１９を設けた側の端部に前記ビーム部材９の開口３９の下面縁に当止可能な突片４２を一体形成している。
【００１７】
前記傾動部材１３の係合段部２０は、前記接地部材１４を装着した円筒部３２と支軸１６との中間部上縁に形成されており、また該係合段部２０よりも先端側の上縁は摺動縁４３となっている。そして、前記操作部材１５の押ボタン部３７を下方へ押し下げた際に、前記係止ピン１９が摺動縁４３を押圧し、もって傾動部材１３が支軸１６を中心に傾動させ、前記接地部材１４が床面Ｆに接触した後は、圧縮コイルばね２１を押し縮めながら接地部材１４を床面Ｆに圧接するのである。それから、前記操作部材１５の押ボタン部３７を更に下方へ押し下げると、前記係止ピン１９は摺動縁４３を通過して係合段部２０に至り、前記接地部材１４が床面Ｆに圧接した状態を維持するのである。そして、前記操作部材１５に加えた押し下げ力を除くと、前記接地部材１４はその圧縮コイルばね２１の弾性力によって床面Ｆに圧接され続けるのである。ここで、前記キックばね１７による弾性付勢力及び圧縮コイルばね２１の弾性付勢力に抗して前記傾動部材１３を傾動させ、前記係止ピン１９が係合段部２０に係合した状態を維持できるように、前記支軸１６の中心、前記回動軸１８の中心及び傾動部材１３の位置並びに係合段部２０の形状は設定されている。
【００１８】
本実施形態では、後部のキャスター４は床面Ｆに接触し、それよりも前方で前部のキャスター４よりも後方位置で接地部材１４は床面Ｆに接触するので、折畳み式テーブルの荷重は後部のキャスター４と前部のキャスター４及び接地部材１４に分割されて加わる。ここで、前記接地部材１４の位置が折畳み式テーブルの前後方向の重心線よりも前方であれば、前記接地部材１４が床面Ｆに接触した状態での下方弾性付勢力、即ち圧縮コイルばね２１の圧縮弾性力が、後方のキャスター４を中心とした該接地部材１４の位置での折畳み式テーブルの回転モーメントよりも大きければ、両者の力が釣り合うまで圧縮コイルばね２１が延び、即ち接地部材１４が下方へ突出して前部のキャスター４が浮き上がり、小さければ前部のキャスター４は接地したまま接地部材１４がその弾性付勢力に等しい力で床面Ｆに圧接されるのである。何れの場合も、接地部材１４は圧縮コイルばね２１による弾性付勢力で床面Ｆに圧接されるので、折畳み式テーブルは不意に移動することがないのである。図示した本実施形態では、前記接地部材１４を床面Ｆに圧縮コイルばね２１の弾性付勢力で圧接した使用状態では前部のキャスター４が床面Ｆから浮き上がる例を示している（図３（ｂ）  参照）。
【００１９】
また、前記接地部材１４が床面Ｆに圧接した状態を解除して移動可能な状態にするには、前記操作部材１５の反対側の押ボタン部３８を下方へ押し下げれば、前記係止ピン１９が係合段部２０から外れ、前記傾動部材１３はそのキックばね１７の弾性付勢力と、初期には接地部材１４の圧縮コイルばね２１の弾性付勢力あるいは折畳み式テーブルの荷重によって支軸１６を中心として接地部材１４を持ち上げる方向へ傾動し、接地部材１４が床面Ｆから離れた後にはキックばね１７の弾性付勢力によって傾動し、前記ビーム部材９の下面に傾動部材１３又は接地部材１４の上端部が当接するまで、あるいは前記操作部材１５の突片４２がビーム部材９の開口３９の下面縁に当接するまで回転し、接地部材１４が床面Ｆから離れた状態となる（図３（ａ）  参照）。
【００２０】
更に本実施形態について説明すれば、前記操作部材１５の押ボタン部３７の位置は、その回動軸１８と接地部材１４との間に位置するので、該押ボタン部３７に加えた下方への押し下げ力は、前記接地部材１４が床面Ｆに接触する前は、回動軸１８と、係止ピン１９を介在して支軸１６を介して接地脚２に作用し、前部のキャスター４を床面Ｆに圧接する方向に作用し、そして前記接地部材１４が床面Ｆに接触した後は、接地部材１４と前部のキャスター４に分配されて作用する。この場合、前記傾動部材１３には、圧縮コイルばね２１の圧縮に伴って前端部を持ち上げる反力が生じ、その反力は支軸１６と、係合段部２０を介して回動軸１８と押ボタン部３７へ作用して持ち上げ力となるが、殆どは前記押ボタン部３７に作用する押し下げ力と相殺されるので、前記押ボタン部３７を押し続けている状態では、前記キャスター４は浮き上がることはなく、前記圧縮コイルばね２１が圧縮されるのである。そして、操作部材１５の押ボタン部３７に加える押し下げ力を除いた後に、前部のキャスター４が床面Ｆから浮き上がるのである。
【００２１】
ここで、本実施形態の折畳み式テーブルに用いた前記キャスター４について図３及び図５に基づいて簡単に説明する。前記キャスター４の特徴は、上下寸法が最小となるように工夫した点にある。つまり、前記キャスター４は、下方開放した偏平な円筒状ケース４４の内部に回転体４５を水平回転可能に内蔵するとともに、該回転体４５の回転中心に対して偏心した位置に車輪４６を回転可能に設けたものである。具体的には、前記キャスター４は、前記円筒状ケース４４の内部であって、その上面板４７の下面中心に回転軸４８を突設するとともに、該上面板４７の周囲にベアリング溝４９を形成し、前記回転体４５の中心に形成した軸孔５０に前記回転軸４８を回転可能且つ抜止め状態で嵌合するとともに、該回転軸４８の上部外周に形成したベアリング溝５１と前記ベアリング溝４９との間に複数のボール５２，…を介在させて、円筒状ケース４４に対して回転体４５を垂直な回転軸４８を中心に回転可能となし、更に該回転体４５の偏心位置に前記車輪４６の両側に突設した水平な軸部５３，５３又は車輪４６に貫通した軸ピンを装着した構造である。そして、前記接地脚２を構成するビーム部材９の前後部に、前記円筒状ケース４４を嵌合する下方開放した凹部５４を形成し、該凹部５４にキャスター４の円筒状ケース４４を嵌合し、接着等の適宜な固定手段で固定している。
【００２２】
次に、本実施形態に係る折畳み式テーブルを、図１、図６〜図９に基づいて簡単に説明する。当該折畳み式テーブルは、前記天板１の下面両側であって前後中間部に、前後方向に向けて取付体５５，５５を固定し、該取付体５５，５５を前記支脚杆３の上端部内側面に固着した連結板５６の後方延長部５６Ａに支軸５７にて上下回動可能に連結している。また、前記接地脚２は、通常使用態様では両側前後方向に略平行となして一対配した長尺部材であり、前後端部に方向転換可能なキャスター４，４を設け、後部に前記支脚杆３を前記回転連結手段６を介して前傾状態で支持している。そして、前記支脚杆３は、本実施形態では四角筒状の杆体であり、内部に前記連動手段７を構成する連動杆５８を挿通している。尚、前記連動杆５８は、前記天板１の立起、倒伏動作に伴って上下動するもので、長尺の第１連動杆５８Ａとその下端に枢着した短尺の第２連動杆５８Ｂとで構成している。
【００２３】
また、前記回転連結手段６は、図１及び図６に示すように、前記支脚杆３の下端に垂直に固定した固定筒体５９と接地脚２の後部に垂直に固定した回転筒体６０とを定位置で回動可能に連結し且つ前記固定筒体５９に沿って上下動する駆動ピン６１を回転筒体６０に形成した傾斜溝６２，６２にスライド係合したものである。更に詳しくは、前記固定筒体５９の直径方向に対向した面に形成した縦長のガイド孔６３，６３に、前記駆動ピン６１を貫挿するとともに、該駆動ピン６１の両端部を回転筒体６０に形成した前記傾斜溝６２，６２に挿通し、該駆動ピン６１の中央部を前記支脚杆３の内部から固定筒体５９の内部に延びた前記連動杆５８の第２連動杆５８Ａに固定又は回動可能に取付けている。また、前記駆動ピン６１は適宜抜け止めされているとともに、前記傾斜溝６２とガイド孔６３に接する部分にはスライダー及びローラ等を適宜介在させている。ここで、前記傾斜溝６２の傾斜の向きは、前記駆動ピン６１が固定筒体５９のガイド孔６３に沿って上動した際に、前記接地脚２の前部が内向きに回転変位し、下動した際に左右の接地脚２，２が平行になるように回転変位する方向に設定されており、左右の回転連結手段６では逆の向きになっている。ここで、前記固定筒体５９と回転筒体６０とは、同軸状に定位置回転可能に連結されている。前記固定筒体５９に対する回転筒体６０の回転を容易にするため本実施形態ではベアリングによる連結構造を採用している。
【００２４】
更に、前記傾斜溝６２の下端には回転筒体６０の軸方向へ延びた垂直溝６４を延設するとともに、傾斜溝６２の上端には回転筒体６０の円周方向へ延びた水平溝６５を延設している。前記連動杆５８が下動して駆動ピン６１が前記垂直溝６４に係合すると、前記接地脚２を強制的に横方向に回転させようとしても、その外力の方向と垂直溝６４の方向とが直交するので、もはや回転することがなく、左右の接地脚２，２を平行状態で安定に維持した使用態様とすることができる。また、前記連動杆５８が上動して駆動ピン６１が前記傾斜溝６２の上端近傍に位置すると、前述のように左右の接地脚２，２は平面視ハ字状に内向きに向いてスタッキング態様となる。
【００２５】
一方、前記取付体５５は、下方開放した断面略コ字形の部材であり、上面板６６を前記天板１の下面に固定し、該上面板６６の両側縁から垂下した側板６７，６７に軸受孔６８，６８を形成し、該軸受孔６８に支軸５７を抜止め貫挿するとともに、前記連結板５６の後方延長部５６Ａを枢支している。
【００２６】
そして、前記連動手段７は、前記支軸５７よりも前方位置であって、前記取付体５５の上面板６６から下方へ突出固定した一対の回動アーム６９，６９の下端部に前記連動杆５８の上端部を枢着し、該連動杆５８と前記回動アーム６９とで前記天板１と前記駆動ピン６１とをリンク連結して構成している。即ち、前記天板１の前部を持ち上げて上方回動させることによって、回動アーム６９を介して連動杆５８が支脚杆３の内部で上方へ移動し、それに伴って前記駆動ピン６１が固定筒体５９のガイド孔６３に沿って上動するとともに、回転筒体６０の傾斜溝６２内を摺動して、該回転筒体６０が回転し、もって前記接地脚２，２の前部が約３０°だけ内向きに回転するのである。そして、前記天板１を支脚杆３に略平行になるまで回動させれば、当該折畳み式テーブルを前後方向にスタッキングすることができるのである。また、前記天板１の前部を押し下げて、水平になるまで回動させれば、前述の動作とは逆に、両接地脚２，２の前部が平行になるまで外向きに回転するのである。
【００２７】
また、前記ロック手段８は、前記天板１が水平な通常使用態様（図１参照）と、前部を上方に回動させて支脚杆３と略平行に折り畳まれたスタッキング態様（図６参照）とを維持するためのものであり、図１及び図６に示すように、前記取付体５５の側板６７の前部に通孔７０，７０を形成し、該側板６７，６７間に操作ハンドル７１を配し、該操作ハンドル７１の中央部に直角に側設した回転軸７２を前記通孔７０に回転可能に挿通し、また図示しないが左右の操作ハンドル７１，７１の各回転軸７２，７２をシャフトの両端に固定して連動させ、そして操作ハンドル７１の回転軸７２より後方下方へ延びた係合アーム７１Ａの先端部に側設した係合ピン７３を、前記連結板５６の前縁の円弧部５６Ｂに形成した下方係合凹部７４と上方係合凹部７５とに選択的に係合可能となした構造である。また、前記操作ハンドル７１の回転軸７２より前方へ延設したハンドル部７１Ｂには合成樹脂製の引手７６を取付けている。更に、前記操作ハンドル７１は、回転軸７２に装着したキックばね７７によって、前記係合ピン７３が連結板５６の円弧部５６Ｂに常に接近する方向に弾性付勢し、天板１が通常使用状態において下方係合凹部７４に係合ピン７３が係合し、天板１が立起した折畳み状態において上方係合凹部７５に係合ピン７３が係合するようになっている。つまり、前記操作ハンドル７１のハンドル部７１Ｂに取付けた引手７６を持ち上げることにより、前記キックばね７７の弾性付勢力に抗して係合ピン７３が連結板５６の円弧部５６Ｂから離れる方向に係合アーム７１Ａが回転するように設定している。尚、前記下方係合凹部７４は、天板１が略水平な使用態様となっている状態で、前記操作ハンドル７１の回転軸７２を中心とした円弧に沿った向きに深く切り欠いて形成している。また、前記ロック手段８は、左右両側に設けられており、前記シャフトによって両側のロック手段８，８が同調して操作できるようになっている。また、前記取付体５５及びロック手段８の引手７６を除く部分は、カバー７８によって覆われている。
【００２８】
また、前記天板１を略水平となした使用態様において、前記係合ピン７３と下方係合凹部７４との係合がガタつきなく確実に行え、不意に天板１が上下回動しないように、前記支脚杆３の上端に弾性部材からなる緩衝体７９を固定し、前記取付体５５の上面板６６に圧接しながら前記係合ピン７３を下方係合凹部７４に係合するようにしている。
【００２９】
前述のように、前記折畳み式テーブルは、前記天板１が略水平且つ両接地脚２，２が略平行な使用態様と、前記天板１が立起し且つ両接地脚２，２が平面視ハ字状のスタッキング態様とにロックすることが可能なロック手段８を備え、前記天板１が立起状態でロック手段８による回転規制状態で前記駆動ピン６１が傾斜溝６２の上端より下方に位置するように設定し、前記接地脚２の自由な回動を規制しているが、折畳み式テーブルの保管や搬送中の梱包において、両接地脚２，２をハ字状にしたスタッキング状態では、接地脚２が支脚杆３，３より突出するため梱包容積を最小にすることができない。そのため、本実施形態の折畳み式テーブルは、スタッキング態様からロック手段を解除して両接地脚２，２が略直線状に両支脚杆３，３の間に格納された格納態様に変更可能としている。
【００３０】
ここで、スタッキング態様からロック手段８によるロック状態、つまり前記係合ピン７３が上方係合凹部７５に係合した状態を解除でき、またスタッキング態様から不意にロック状態が解除されないようにするために、以下のような構造を採用している。つまり、前記操作ハンドル７１のハンドル部７１Ｂの前端には、略水平な取付板部８０を形成し、該取付板部８０には取付開口が形成され、該開口内に引手７６に一体形成した嵌合部８１を嵌め殺し的に嵌合できるようになっている。前記引手７６は、図８に詳しく示してあり、前記嵌合部８１の側面には、前記ハンドル部７１Ｂの取付板部８０の開口に嵌入した後、該開口縁に抜止め係合する係合爪８２を突設している。一方、前記連結板５６には、前記係合ピン７３が上方係合凹部７５に係合したスタッキング態様において、前記回転軸７２を中心とした円弧縁８３又は直線縁が前記上方係合凹部７５に連続して形成されている。そして、前記引手７６を操作ハンドル７１のハンドル部７１Ｂの取付板部８０に嵌着した状態では、図６に示すように、引手７６を取付体５５内に押し込むと、前記嵌合部８１の端部が前記取付体５５の上面板６６に当接するまで操作ハンドル７１を傾動させることができるが、その状態でも前記係合ピン７３が円弧縁８３の途中に位置するので、前記天板１をそれ以上立起させることは不可能であるが、逆に水平になる方向への回動は可能である。つまり、引手７６を最も押し込んだ状態では、スタッキング態様から使用態様への変更のためにロック状態を解除できるが、スタッキング態様から格納態様への変更は不可能となっている。
【００３１】
即ち、前記引手７６は、ユーザーに折畳み式テーブルを納入した後に、その場で操作ハンドル７１に取付けるようにしており、この引手７６を取付けてない工場出荷状態では、図７に示すように操作ハンドル７１のハンドル部７１Ｂは、その取付板部８０が取付体５５の上面板６６に当接するまで傾動させることが可能であり、この状態で前記係合ピン７３が円弧縁８３から離れるので、前記天板１をスタッキング態様から更に回転立起させることが可能となり、前記駆動ピン６１は水平溝６５に受け入れ可能な状態まで上動するのである。この状態で前記接地脚２を強制的に内向きに回転させると、前記駆動ピン６１が前記水平溝６５に沿って移動し、駆動ピン６１が水平溝６５の終端に位置して接地脚２が横向きの状態、即ち使用態様における前後方向に配向した状態から９０°回転した状態になる。この格納態様が折畳み式テーブルを最も容積を小さくして梱包できる状態である。この左右の接地脚２，２が直線状になった状態では、前記支脚杆３，３から前後方向に接地脚２，２が突出しないので、梱包時或いは保管時における接地脚２の嵩張りの問題が解消するのである。
【００３２】
次に、前記天板１の下方に設けた折畳み式の収納棚８４について図９に基づいて簡単に説明する。この収納棚８４は、天板１の下面両側に固定した前記取付体５５，５５間に設ける。具体的には、前記収納棚８４は、左右一対の支持アーム８５，８５の前方直線部８５Ａ，８５Ａ間に複数の支持棒８６，…又は支持板（図示せず）を渡設し、各支持アーム８５の後方湾曲部８５Ｂの端部を前記取付体５５の側板６７に軸ピン８７で回動可能に取付けるとともに、該軸ピン８７よりも前方位置で一端を枢支ピン８８で枢支された保持杆８９の他端を、該他端に側設した係止ピン９０を前記前方直線部８５Ａに形成した支持孔９１に前後位置変更可能に係着することによって支持アーム８５を支持している。ここで、前記係止ピン９０は、前記枢支ピン８８よりも常に前方位置になるように保持杆８９は傾斜させている。
【００３３】
前記支持孔９１は、前後方向に延びた長孔であり、孔の上縁側には前記係止ピン９０を前後両端で保持できるように山形突起９１Ａ，９１Ｂを形成している。前記天板１が水平状態で、前記係止ピン９０を後方の山形突起９１Ａに係止すれば、支持アーム８５は略水平状態となり（実線参照）、一方前記係止ピン９０を前方の山形突起９１Ｂに係止すれば、支持アーム８５は前上がり状態となる（想像線参照）。また、前記支持アーム８５の後方湾曲部８５Ｂの端部には、外側に開放した筒部８５Ｃを形成し、該筒部８５Ｃの中心に回動可能に挿通した前記軸ピン８７と該筒部８５Ｃとの間には、キックばね９２のコイル部を介装し、該キックばね９２の一方の弾片の端部を筒部８５Ｃの切欠から導出して支持アーム８５の適所に係止するとともに、他方の弾片の端部を前記取付体５５の側板６７に係止し、前記支持アーム８５を常に前上がり状態になるように弾性付勢している。しかし、この弾性付勢力は、前記係止ピン９０が後方の山形突起９１Ａを乗り越える程には強くは無いが、収納棚８４の前部を持ち上げる際に、係止ピン９０が後方の山形突起９１Ａを容易に乗り越えることができるようにしている。また、収納棚８４を前上がり状態にした際には、前記係止ピン９０が前方の山形突起９１Ｂに係止されている係止状態を弾性付勢力によって確実に保持するのである。尚、前記収納棚８４は、略水平状態ではカバンや書類を載置することができ、前上がり状態では使用態様において折畳み式テーブルの前面側に着座した使用者の膝に該収納棚８４が当たらないようにすることができるとともに、スタッキング態様においてスタッキングピッチを小さくすることができるのである。
【００３４】
最後に、図１０に基づいて本実施形態に係る折畳み式テーブルの他の例を説明する。図１０に示した折畳み式テーブルは、天板１を略水平な使用態様と立起したスタッキング態様とに変更できるものであるが、前記接地脚２，２はそれぞれ支脚杆３，３の下端に固定したものであり、天板１の回動と接地脚２が連動しないタイプである。そして、前記天板１の回動立起動作を軽くするために、前記支脚杆３の内部にガススプリング９３の一端を枢支するとともに、他端を前記回動アーム６９に枢支したものである。尚、本実施形態のガススプリング９３を前述の天板１と接地脚２が連動するタイプの折畳み式テーブルに組み込むことも可能である。
【００３５】
【発明の効果】
以上にしてなる本発明の可動什器のストッパー装置は、以下に示すような顕著な効果を奏するものである。
【００３６】
請求項１によれば、操作部材に大きな力が加わらないような構造となすとともに、構造を簡単にしてコスト低減化を図ることができ、しかも接地部材を床面に接触した状態を操作部材の係合ピンと傾動部材の係合段部との係合によって確実に維持することができる。
【００３７】
請求項２によれば、操作部材を回動操作して傾動部材の端部に設けた接地部材を床面に接触した後、更に操作部材を押圧部材の弾性付勢力に抗して押し込んで操作部材の係合ピンと傾動部材の係合段部とを係合することができ、しかも床面に多少の凹凸があっても確実に接地部材を床面に圧接して、可動什器の不意の移動を制限できるのである。
【００３８】
請求項３によれば、接地部材が床面に圧接しているのか、あるいは床面から離れているのかを、接地脚の上面に出現した操作部材の押ボタン部の配色又は表示で確認することができる。
【図面の簡単な説明】
【図１】本発明のストッパー装置を採用した折畳み式テーブルの簡略全体断面図である。
【図２】本発明のストッパー装置の要部の分解斜視図である。
【図３】同じく要部の断面図であり、（ａ）  は接地部材が床面から離れた状態、（ｂ）  は接地部材が床面に接触した状態をそれぞれ示している。
【図４】同じく要部の省略平面図である。
【図５】キャスターの断面図である。
【図６】折畳み式テーブルのスタッキング態様を示す部分断面図である。
【図７】スタッキング態様からロック状態を解除し、接地脚を格納態様に変更する前の状態を示す部分断面図である。
【図８】操作ハンドルに取付ける引手を示し、（ａ）  は側面図、（ｂ）  は他の側面図、（ｃ）  は斜視図をそれぞれ示している。
【図９】天板の下方に設けた収納棚を示す部分断面図である。
【図１０】折畳み式テーブルの他の例を示す部分断面図である。
【符号の説明】
Ｆ  床面
１  天板                  ２  接地脚
３  支脚杆                ４  キャスター
５  ストッパー装置        ６  回転連結手段
７  連動手段              ８  ロック手段
９  ビーム部材            １０  補強部材
１１  装着用開口          １２  取付部材
１３  傾動部材            １４  接地部材
１５  操作部材            １６  支軸
１７  キックばね          １８  回動軸
１９  係止ピン            ２０  係合段部
２１  圧縮コイルばね      ２２  支持板
２３  連結板              ２４  取付板
２５  取付孔              ２６  バーリング孔
２７  タッピングネジ      ２８  軸孔
２９  軸孔                ３０  軸孔
３１  軸孔                ３２  円筒部
３３  当止縁              ３４  ブッシュ
３５  抜止め具            ３６  キャップ
３７  押ボタン部          ３８  押ボタン部
３９  開口                ４０  表示シール
４１  表示シール          ４２  突片
４３  摺動縁              ４４  円筒状ケース
４５  回転体              ４６  車輪
４７  上面板              ４８  回転軸
４９  ベアリング溝        ５０  軸孔
５１  ベアリング溝        ５２  ボール
５３  軸部                ５４  凹部
５５  取付体              ５６  連結板
５７  支軸                ５８  連動杆
５９  固定筒体            ６０  回転筒体
６１  駆動ピン            ６２  傾斜溝
６３  ガイド孔            ６４  垂直溝
６５  水平溝              ６６  上面板
６７  側板                ６８  軸受孔
６９  回動アーム          ７０  通孔
７１  操作ハンドル        ７２  回転軸
７３  係合ピン            ７４  下方係合凹部
７５  上方係合凹部        ７６  引手
７７  キックばね          ７８  カバー
７９  緩衝体              ８０  取付板部
８１  嵌合部              ８２  係合爪
８３  円弧縁              ８４  収納棚
８５  支持アーム          ８６  支持棒
８７  軸ピン              ８８  枢支ピン
８９  保持杆              ９０  係止ピン
９１  支持孔              ９２  キックばね
９３  ガススプリング
【図１】
0003551811.tif 000002
【図２】
0003551811.tif 000003
【図３】
0003551811.tif 000004
【図４】
0003551811.tif 000005
【図５】
0003551811.tif 000006
【図６】
0003551811.tif 000007
【図７】
0003551811.tif 000008
【図８】
0003551811.tif 000009
【図９】
0003551811.tif 000010
【図１０】
0003551811.tif 000011